(57)【要約】【課題】移し変えなどの手間が無く、開封後再封してそのまま携帯できるブリスターパックを提供する。【解決手段】プラスチックシートを成型してなる収納部とその周囲の平坦部からなる容器本体と、前記収納部を覆い前記平坦部に貼着された台紙とを有するブリスターパックであって、前記台紙には開封時開口部が、前記収納部を開放可能に設けられ、且つ、前記台紙を折り返したとき、折り返した前記台紙が前記開封時開口部を覆い、また、折り返した前記台紙の両端に互いに係止する係止部が設けられている。【選択図】図１
2012062089.tif 000002
【特許請求の範囲】
【請求項１】
プラスチックシートを成型してなる収納部とその周囲の平坦部からなる容器本体と、前記収納部を覆い前記平坦部に貼着された台紙とを有するブリスターパックであって、
前記台紙には開封時開口部が、前記収納部を開放可能に設けられ、且つ、前記台紙を折り返したとき、折り返した前記台紙が前記開封時開口部を覆い、また、折り返した前記台紙の両端に互いに係止する係止部が設けられていることを特徴とするブリスターパック。
【請求項２】
プラスチックシートを成型してなる収納部とその周囲の平坦部からなる容器本体と、前記収納部を覆い前記平坦部に貼着された台紙とを有するブリスターパックであって、
前記台紙には開封時開口部が、前記収納部を開放可能に設けられ、且つ、前記台紙は、前記容器本体の前記平坦部に貼着されない折返し可能部を有し、前記折返し可能部を折り返したとき、該折返し可能部が前記台紙の前記開封時開口部を覆い、また、前記折返し可能部の先端とそれに対向する前記台紙の反対側先端とに互いに係止する係止部が設けられていることを特徴とする請求項１に記載のブリスターパック。
【請求項３】
プラスチックシートを成型してなる収納部とその周囲の平坦部からなる容器本体が２つと、２つの前記容器本体それぞれの前記収納部を覆い前記平坦部に貼着された１つの台紙とを有するブリスターパックであって、
前記台紙には開封時開口部が、それぞれの前記収納部を開放可能に設けられ、且つ、前記台紙は、２つの前記容器本体の間で前記台紙を折り返して、重ね合わせたとき、折り返した前記台紙により、それぞれの前記開封時開口部を覆い、また、該折り返した前記台紙の両端に互いに係止する係止部が設けられていることを特徴とする請求項１に記載のブリスターパック。
【請求項４】
互いに係止する前記係止部は、一方が端部に設けられた切欠部で、他方が端部に入れられた切込みで形成された挿込片であることを特徴とする請求項１乃至３のいずれか１項に記載のブリスターパック。
【発明の詳細な説明】
【技術分野】
【０００１】
本発明は、ブリスターパックに関するものである。
【背景技術】
【０００２】
プラスチックシートを真空や圧空を用いて熱成形して収納部を形成させた容器本体と、この容器本体の収納部を封止する台紙からなるブリスターパックは、歯ブラシなどのトイレタリー分野や、ステイプラーなどの文房具分野、ハム・ソーセージなどの食品分野、注射器・注射針のような医療器具分野の包装に広く用いられている。
【０００３】
また、これらのブリスターパックは、店舗においては、吊下げ棚に吊下げて販売されることが多く、台紙に吊下げ用孔が設けられているのが一般的である。
【０００４】
ブリスターパックの容器本体と台紙の固定方法には、接着剤で接着されていたり(例えば、特許文献１)、また、容器本体の２辺あるいは３辺に折り返し部を設けて台紙を挿し込み、容器本体と台紙をステイプルで固定させたり、台紙に設けた切り込み部に容器本体に設けた爪部を挿し込んで固定するものがあった（例えば、特許文献２）。
【０００５】
そして、商品を取り出すには、容器本体と台紙の接着を剥がしたり、ステイプルや爪部を外して開封するものがあった。また、台紙に開封用切れ目を設けて、開封用切れ目を切断して開封して収納物を取り出せるようにしたブリスターパックもあった（例えば、特許文献３）。
【０００６】
台紙に開封用切れ目を設けて、収納物を取り出せるようにしたブリスターパックは、複数の商品を収納して、必要数取り出した後再封して、保存するのに便利である。しかし、最近多く販売されるようになった歯間ブラシや糸楊枝などは、食事後に使用することが多いので、外出先など、自宅外で使用するために、バッグなどに入れて持ち歩くことがある。その場合は、切断した開封用切れ目から、収納物がこぼれてしまう恐れがあり、携帯用には不向きである。
【０００７】
そこで、主な収納部を設けた主ケースのほかに、携帯用に便利な小ケースを、台紙に一体的に設けて、小ケースを取り外して携帯し、必要に応じて主ケースから収納物を小ケースに補充することのできるブリスターパックも出てきた（例えば、特許文献４）。
公知文献を以下に示す。
【先行技術文献】
【特許文献】
【０００８】
【特許文献１】特開２００９−４６１５２号公報
【特許文献２】特開２００６−２２５００６号公報
【特許文献３】実開平４−１１２０５８号公報
【特許文献４】特開２００８−１３９０号公報
【発明の概要】
【発明が解決しようとする課題】
【０００９】
前述のブリスターパックは、開封後再封して携帯するには不向きである、あるいは、必要に応じて主ケースから収納物を小ケースに補充する必要があるなどの問題がある。
【００１０】
本発明は、移し変えなどの手間が無く、開封後再封してそのまま携帯できるブリスター
パックを提供することを課題とする。
【課題を解決するための手段】
【００１１】
本発明は係る課題に鑑みなされたものであり、請求項１の発明は、プラスチックシートを成型してなる収納部とその周囲の平坦部からなる容器本体と、前記収納部を覆い前記平坦部に貼着された台紙とを有するブリスターパックであって、
前記台紙には開封時開口部が、前記収納部を開放可能に設けられ、且つ、前記台紙を折り返したとき、折り返した前記台紙が前記開封時開口部を覆い、また、折り返した前記台紙の両端に互いに係止する係止部が設けられていることを特徴とするブリスターパックである。
【００１２】
本発明のブリスターパックは、以上のような構成であって、開封時開口部を開封した後、開封時開口部を折り返した前記台紙で覆い、その状態で係止することができるので、移し変えなどの手間が無く、開封後再封してそのまま携帯することができる。
【００１３】
本発明の請求項２の発明は、プラスチックシートを成型してなる収納部とその周囲の平坦部からなる容器本体と、前記収納部を覆い前記平坦部に貼着された台紙とを有するブリスターパックであって、
前記台紙には開封時開口部が、前記収納部を開放可能に設けられ、且つ、前記台紙は、前記容器本体の前記平坦部に貼着されない折返し可能部を有し、前記折返し可能部を折り返したとき、該折返し可能部が前記台紙の前記開封時開口部を覆い、また、前記折返し可能部の先端とそれに対向する前記台紙の反対側先端とに互いに係止する係止部が設けられていることを特徴とする請求項１に記載のブリスターパックである。
【００１４】
本発明は、台紙に容器本体の平坦部に貼着されない折返し可能部を設けてあり、折返し可能部を折り返して、開封した開封時開口部を覆い、その状態で係止することができるので、移し変えなどの手間が無く、開封後再封してそのまま携帯することができる。
【００１５】
本発明の請求項３の発明は、プラスチックシートを成型してなる収納部とその周囲の平坦部からなる容器本体が２つと、２つの前記容器本体それぞれの前記収納部を覆い前記平坦部に貼着された１つの台紙とを有するブリスターパックであって、
前記台紙には開封時開口部が、それぞれの前記収納部を開放可能に設けられ、且つ、前記台紙は、２つの前記容器本体の間で前記台紙を折り返して、重ね合わせたとき、折り返した前記台紙により、それぞれの前記開封時開口部を覆い、また、該折り返した前記台紙の両端に互いに係止する係止部が設けられていることを特徴とする請求項１に記載のブリスターパックである。
【００１６】
本発明は、２つの前記容器本体が１つの台紙に貼着されていて、２つの容器本体の間で台紙を折り返して、重ね合わせることによって、開封した２つの開封時開口部を、台紙で覆い、その状態で係止することができるので、移し変えなどの手間が無く、開封後再封してそのまま携帯することができる。
【００１７】
本発明の請求項４の発明は、互いに係止する前記係止部は、一方が端部に設けられた切欠部で、他方が端部に入れられた切込みで形成された挿込片であることを特徴とする請求項１乃至３のいずれか１項に記載のブリスターパックである。
【００１８】
本発明はさらに、係止部が切欠部と切込みで形成された挿込片であるので、係止部の形成が簡単で、包装時に邪魔にならず、係止したときは、確実に係止されてはずれにくい。
【発明の効果】
【００１９】
本発明のブリスターパックは、移し変えなどの手間が無く、開封後、容易に再封してそのまま携帯することができる。
【図面の簡単な説明】
【００２０】
【図１】本発明のブリスターパックの第１の実施形態を模式的に平面で示した説明図である。
【図２】本発明のブリスターパックの第１の実施形態の開封状態を模式的に斜視で示した説明図である。
【図３】本発明のブリスターパックの第１の実施形態の再封する動きを模式的に斜視で示した説明図である。
【図４】本発明のブリスターパックの第１の実施形態が再封され係止された状態を模式的に斜視で示した説明図である。
【図５】本発明のブリスターパックの第２の実施形態を模式的に平面で示した説明図である。
【図６】本発明のブリスターパックの第２の実施形態の開封状態を模式的に斜視で示した説明図である。
【図７】本発明のブリスターパックの第２の実施形態の再封する動きを模式的に斜視で示した説明図である。
【図８】本発明のブリスターパックの第２の実施形態が再封され係止された状態を模式的に斜視で示した説明図である。
【発明を実施するための形態】
【００２１】
＜第１の実施形態＞
以下、本発明を実施するための第１の実施形態につき説明する。
図１は、本発明のブリスターパックの第１の実施形態を模式的に平面で示した説明図で、図２は、本発明のブリスターパックの第１の実施形態の開封状態を模式的に斜視で示した説明図、図３は、本発明のブリスターパックの第１の実施形態の再封する動きを模式的に斜視で示した説明図、図４は、本発明のブリスターパックの第１の実施形態が再封され係止された状態を模式的に斜視で示した説明図である。
【００２２】
ブリスターパック１００は、図１（台紙側から見た平面図で、裏側の容器本体を点線で表している）及び図２のように、台紙１と容器本体５からなっている。そして、台紙１の上下の中央に、折罫２が設けられている。折罫２より上方は、折返し可能部３で、折返し可能部３には吊下げ孔４が設けられている。
【００２３】
台紙１の下方に、裏側の容器本体５の平坦部６の外縁部ａと内縁部ｂが点線で表している。そして、平坦部６の内縁部ｂの内側には、台紙１に破線状の切断線からなる、切断可能線７が３方を囲むように設けられている。そして、切断可能線７の両端を結ぶ開口部折罫８が設けられていて、開口部折罫８と切断可能線７とで開封時開口部９を形成している。切断可能線７には、開封開始のために指を入れるための半円状の切断可能線が付属している。
【００２４】
台紙１の折返し可能部３の上の先端と、それに対向する台紙１の反対側の先端には、互いに係止する係止部１０が設けられている。折返し可能部３の上の先端部の係止部１０は、切込みで形成された挿込片１０ａで、先端に行くにしたがって幅が広くなっている。
【００２５】
対向する台紙１の反対側の先端部の先端部の係止部１０は切欠部１０ｂで、切欠部１０ｂは奥に行くにしたがって幅が広くなっている。切欠部１０ｂに挿込片１０ａを挿し込むことによって係止できるようになっている。
【００２６】
図２のように切断可能線７を切断して、開口部折罫８より折って、開封時開口部９を開口すると、容器本体５の収納部１１が開放され、収納物を取り出すことができる。
【００２７】
収納物を取り出した後に、再封するには、折った開口部折罫８を戻して、開封時開口部９を閉めて、図３のように、折返し可能部３が開封時開口部９を覆うように、折罫２から折って、図４のように、開封時開口部９を折返し可能部３で、覆って塞ぎ、係止部１０の切欠部１０ｂに挿込片１０ａを挿し込み係止する。
【００２８】
尚、図３および図４のように、容器本体５はポリエチレンテレフタレートやポリエチレン、ポリプロピレン、ポリスチレン、ポリ塩化ビニルなどのプラスチックシートを成型してなる収納部１１とその周囲の平坦部６からなり、平坦部６が台紙１に貼着されている。
【００２９】
台紙１は、ロールコート紙、コート紙、アート紙などの一般的な板紙、あるいはプラスチックのシートを用いることができる。
【００３０】
このように、第１の実施形態のブリスターパック１００は、台紙１に容器本体５の平坦部６に貼着されない折返し可能部３を設けてあり、折返し可能部３を折り返して、開封した開封時開口部９を覆い、その状態で係止することができるので、移し変えなどの手間が無く、開封後再封してそのまま携帯することができる。
【００３１】
＜第２の実施形態＞
以下本発明を実施するための形態につき説明する。
図５は、本発明のブリスターパックの第２の実施形態を模式的に平面で示した説明図、図６は、本発明のブリスターパックの第２の実施形態の開封状態を模式的に斜視で示した説明図、図７は、本発明のブリスターパックの第２の実施形態の再封する動きを模式的に斜視で示した説明図、図８は、本発明のブリスターパックの第２の実施形態が再封され係止された状態を模式的に斜視で示した説明図である。
【００３２】
第２の実施形態のブリスターパック２００は、図５（台紙側から見た平面図で、裏側の容器本体を点線で表している）のように、台紙１の図の裏側でその上下の中央とその下方に、容器本体５ａ、５ｂがそれぞれの平坦部６ａ、６ｂで貼着されている。図では平坦部６ａ、６ｂの外縁部ａ、ａと内縁部ｂ、ｂを点線で表している。
【００３３】
容器本体５ａ、５ｂはポリエチレンテレフタレートやポリエチレン、ポリプロピレン、ポリスチレン、ポリ塩化ビニルなどのプラスチックシートを成型して形成される。また、台紙１は、ロールコート紙、コート紙、アート紙などの一般的な板紙、あるいはプラスチックのシートを用いることができる。
【００３４】
そして、容器本体５ａ、５ｂの平坦部６ａ、６ｂの内縁部ｂ、ｂの内側に当たる位置の図の表側には、台紙１に形成された破線状の切断線からなる、切断可能線７ａ、７ｂが開封時開口部９ａ、９ｂの３方を囲むように設けられて、容器本体５ａ、５ｂの内縁部ｂ、ｂに対向している。切断可能線７ａ、７ｂには、開封開始のために指を入れるための半円状の切断可能線がそれぞれに付属している。
【００３５】
また、切断可能線７ａ、７ｂの両端を結ぶ開口部折罫８ａ、８ｂがそれぞれに設けられていて、開口部折罫８ａと切断可能線７ａとで開封時開口部９ａを、開口部折罫８ｂと切断可能線７ｂとで開封時開口部９ｂをそれぞれ形成している。
【００３６】
容器本体５ａの上方には、切断予定線１２を介して、吊下げ片１３が延設されている。吊下げ片１３には、吊下げ孔４が設けられている。また、容器本体５ａと容器本体５ｂの
間には、折罫１４が設けられている。
【００３７】
切断予定線１２の左右中央部から下には、切欠部１０ｂを形成するための、破線状の切断線が設けられている。切欠部１０ｂは奥に行くにしたがって幅が広くなっている。そして、台紙１の下端の左右中央部より、切込みで形成された挿込片１０ａが設けられている。挿込片１０ａは、先端が根元より幅が広くなっている。
【００３８】
切断予定線１２を切断して、切欠部１０ｂを形成するための、破線状の切断線して、折罫１４で折って台紙１を重ねたときに、挿込片１０ａを切欠部１０ｂに挿し込むことによって、係止部１０が形成される。
【００３９】
図６のように、切断予定線１２を切断して、吊下げ片１３を切り離して、切欠部１０ｂのを形成する破線状の切断線を切って、容器本体５ａ側の台紙１に切欠部１０ｂを形成させる。
【００４０】
そして、切断可能線７ａを切断して、開口部折罫８ａより折って、開封時開口部９ａを開口すると、容器本体５ａの収納部１１ａが開放され、収納物を取り出すことができる。同様に、切断可能線７ｂを切断して、開口部折罫８ｂより折って、開封時開口部９ｂを開口すると、容器本体５ｂの収納部１１ｂが開放され、収納物を取り出すことができる。
【００４１】
収納物を取り出した後に、再封するには、折った開口部折罫８ａ、８ｂを戻して、開封時開口部９ａ、９ｂを閉めて、図７のように、
折罫１４を折って、容器本体５ａ側の台紙１と容器本体５ｂ側の台紙１が重なるように追って行き、図８のように、容器本体５ａ側の台紙１と容器本体５ｂ側の台紙１を重ね合わせ、開封時開口部９ａ、９ｂを覆って塞ぎ、係止部１０の切欠部１０ｂに挿込片１０ａを挿し込み係止する。
【００４２】
このように、本例のブリスターパック２００は、台紙１に２つの容器本体５ａ、５ｂが貼着されていて、２つの容器本体５ａ、５ｂの間で台紙１を折り返して、重ね合わせることによって、開封した２つの開封時開口部９ａ、９ｂを、台紙１で覆い、その状態で係止することができるので、移し変えなどの手間が無く、開封後再封してそのまま携帯することができる。
【符号の説明】
【００４３】
１００、２００・・・ブリスターパック
１・・・台紙
２、１４・・・折罫
３・・・折返し可能部
４・・・吊下げ孔
５、５ａ、５ｂ・・・容器本体
６、６ａ、６ｂ・・・平坦部
７、７ａ、７ｂ・・・切断可能線
８、８ａ、８ｂ・・・開口部折罫
９、９ａ、９ｂ・・・開封時開口部
１０・・・係止部
１０ａ・・・挿込片
１０ｂ・・・切欠部
１１、１１ａ、１１ｂ・・・収納部
１２・・・切断予定線
１３・・・吊下げ片
ａ・・・外縁部
ｂ・・・内縁部
【図１】
2012062089.tif 000003
【図２】
2012062089.tif 000004
【図３】
2012062089.tif 000005
【図４】
2012062089.tif 000006
【図５】
2012062089.tif 000007
【図６】
2012062089.tif 000008
【図７】
2012062089.tif 000009
【図８】
2012062089.tif 000010